(57)【要約】      （修正有）【課題】ユーザが乗車中に移動体電話機に着信等が有った場合、表示や音声によらずその発信元を特定可能な着信案内装置を提供する。【解決手段】着信案内装置１は、被振動部１８を振動させる振動部１２と、振動部を制御する制御部１０と、を備える。制御部は移動体電話機２０と通信可能であり、移動体電話機に電話の着信があったときは、制御部は、電話の発信者に応じた振動パターンで振動部を振動させる制御を実施する。【選択図】図１
2020053797.tif 000002
【特許請求の範囲】
【請求項１】
被振動部（１８）を振動させる振動部（１２）と、
前記振動部を制御する制御部（１０）と、を備え、
前記制御部は移動体電話機（２０）と通信可能であり、
前記移動体電話機に電話の着信があったときは、前記制御部は、電話の発信者に応じた振動パターンで前記振動部を振動させる制御を実施する着信案内装置。
【請求項２】
前記移動体電話機は発信者の電話番号情報を含む発信者情報を含む電話帳を備えており、
前記制御部は前記移動体電話機と通信することにより前記発信者情報を取得する請求項１に記載の着信案内装置。
【請求項３】
前記制御部は、前記移動体電話機から取得した前記発信者情報と、前記発信者情報に対応付けられた振動パターンを備える対応表を有している請求項２に記載の着信案内装置。
【請求項４】
前記振動部は、前記被振動部の一部を振動させる請求項１から３の何れか一項に記載の着信案内装置。
【請求項５】
前記振動部による振動位置が所定の移動ルートに沿って移動する請求項１から４の何れか一項に記載の着信案内装置。
【請求項６】
前記振動部は、前記被振動部を所定の振動パターンで振動させる１から５の何れか一項に記載の着信案内装置。
【請求項７】
前記発信者情報には発信者のメールアドレス情報が含まれ、
前記移動体電話機にメールの着信があったときは、前記制御部は、発信者のメールアドレス情報に応じた振動パターンで前記振動部を振動させる制御を実施する請求項１から６の何れか一項に記載の着信案内装置。
【発明の詳細な説明】
【技術分野】
【０００１】
本発明は、着信案内装置に関する。
【背景技術】
【０００２】
ユーザが車両に乗車等している際に移動体電話機への着信があった場合、車載用シートに埋め込まれた振動部による振動によりユーザに着信を通知するという技術がある（特許文献１）。
【先行技術文献】
【特許文献】
【０００３】
【特許文献１】特開２０１０−６２６４１号公報
【発明の概要】
【発明が解決しようとする課題】
【０００４】
これによれば、ユーザは着信を認識できても、その発信元を特定することができないという問題がある。
【０００５】
本発明は、上記課題に鑑みてなされたものであり、その目的は、ユーザが乗車中等に移動体電話機に着信等が有った場合、表示や音声によらずその発信元を特定可能な着信案内装置を提供することにある。
【課題を解決するための手段】
【０００６】
請求項１に記載の着信案内装置は、被振動部１８を振動させる振動部１２と、前記振動部を制御する制御部１０と、を備え、前記制御部は移動体電話機２０と通信可能であり、前記移動体電話機に電話の着信があったときは、前記制御部は、電話の発信者に応じた振動パターンで前記振動部を振動させる制御を実施する。
【０００７】
この構成によれば、ユーザが乗車中に移動体電話機２０に着信等が有った場合、ユーザが着座するイス１８すなわち被振動部に対して、発信者に応じて異なる振動パターンにより振動を与えるため、ユーザは、表示や音声によらずその発信元を特定可能となる。
【図面の簡単な説明】
【０００８】
【図１】第１実施形態に係る着信案内装置の概略構成を示すブロック図
【図２】着信案内装置における処理の流れの概略を示すフロー図
【図３】発信者―振動パターンの対応の概略を示す対応表
【図４】振動パターンの概略を示す図
【図５】振動パターンの概略を示す図
【図６】振動パターンの概略を示す図
【図７】振動位置が移動する場合の振動パターンの概略を示す図
【図８】振動位置が移動する場合の振動パターンの概略を示す図
【図９】振動位置が移動する場合の振動パターンの概略を示す図
【図１０】振動位置が移動する場合の振動パターンの概略を示す図
【図１１】振動位置が移動する場合の振動パターンの概略を示す図
【図１２】振動位置が移動する場合の振動パターンの概略を示す図
【図１３】振動位置が移動する場合の振動パターンの概略を示す図
【図１４】振動位置が移動する場合の振動パターンの概略を示す図
【図１５】振動位置が移動する場合の振動パターンの概略を示す図
【図１６】振動位置が移動する場合の振動パターンの概略を示す図
【図１７】振動位置が移動する場合の振動パターンの概略を示す図
【図１８】振動位置が移動する場合の振動パターンの概略を示す図
【図１９】振動位置が移動する場合の振動パターンの概略を示す図
【図２０】振動位置が移動する場合の振動パターンの概略を示す図
【図２１】第２実施形態に係る着信案内装置における処理の流れの概略を示すフロー図
【発明を実施するための形態】
【０００９】
以下、本発明の複数の実施形態について図面を参照して説明する。以下の説明において実質的に同一の構成部位には同一の符号を付し、説明を省略する。また、参照される図面は模式的なものであり、描かれる構成の寸法関係や比率等は現実のものとは必ずしも一致するわけではない。
【００１０】
（第１実施形態）
図１に示すように、第１実施形態に係る着信案内装置１は、制御部１０、及び振動部１２を備えている。また、着信案内装置１は、スピーカ１４及び表示機１６に接続されている。また、制御部１０は無線通信により移動体電話機２０に接続されている。
【００１１】
制御部１０は、振動部１２、スピーカ１４、及び表示機１６の制御を実施する制御部であり、ＣＰＵ、ＲＡＭ、ＲＯＭ、フラッシュメモリ、Ｉ／Ｏ等を備えたプロセッサにより構成されている。制御部１０は、例えばＲＯＭに記憶されたプログラムを駆動させることにより、振動部１２の制御、後述する移動体電話機２０との連携制御、スピーカ１４及び表示機１６に対する制御を実施する。これら、制御部１０、振動部１２、スピーカ１４、表示機１６、イス１８、移動体電話機２０は自動車３０内に設置されている。
【００１２】
振動部１２は、ユーザが着座するイス１８に設置されており、イス１８の背もたれ部１８ａ、及び座部１８ｂに対して振動を与えることができる振動発生部として機能する。振動部１２としては例えば、背もたれ部１８ａ及び座部１８ｂの一面にマトリックス状に配置された複数の振動部材により構成されている。振動部１２に用いられる振動部材としては、例えば、公知の振動モータ、ソレノイド式の振動発生装置等を用いることができる。
【００１３】
この構成により、振動部１２は、複数の振動部材のうちの一部を振動させることによりイス１８の一部を振動させることができる。また、振動部１２は振動させる振動部材の位置を順次変更することにより、イス１８の背もたれ部１８ａ又は座部１８ｂの面内において振動位置を移動させることができる。また、振動部１２は振動部材の全部を振動させることによりイス１８の全面を振動させることもできる。イス１８、背もたれ部１８ａ、座部１８ｂは、振動部１２によって振動が与えられる被振動部である。
【００１４】
スピーカ１４は、音声発声部、及び音声取得部すなわちマイクロフォンとして機能し、着信音の音声発声や、ハンズフリー通話におけるスピーカ及びマイクロフォンとして機能する。表示機１６は例えば液晶タッチパネルであり、種々の情報を表示する表示部、及びユーザによる入力を受け付ける入力部として機能する。
【００１５】
制御部１０は、ユーザが所有する移動体電話機２０と、無線通信が可能となるように構成されている。制御部１０と移動体電話機２０は、例えばＢｌｕｅｔｏｏｔｈ（登録商標）により無線通信可能に構成される。制御部１０と移動体電話機２０との間には、Ｂｌｕｅｔｏｏｔｈにおける通信プロトコルであるＨＦＰ(Hands-Free Profile)すなわちハンズフリー通話を実現するためのプロファイルが開通されており、通信の発信・着信機能の連携が実現されている。
【００１６】
次に、着信案内装置１における処理について説明する。図２に示すように、まず、制御部１０は、ユーザが乗車しているかを判定する（Ｓ１）。この判定は、あらかじめユーザの所有する移動体電話機２０と着信案内装置１とをＢｌｕｅｔｏｏｔｈにおけるペアリングをしておき、移動体電話機２０と制御部１０との通信が開通したことをもってユーザの乗車ありと判定することができる。また、あるいは、自動車３０内に図示しない赤外線センサ等を設けておき、赤外線センサによりユーザの乗車の有無を検知するようにしてもよい。ユーザが乗車していない場合は（Ｓ１：ＮＯ）、制御部１０はＳ１処理の待機をする。
【００１７】
ユーザが乗車している場合は（Ｓ１：ＹＥＳ）、制御部１０は、ユーザの所有する移動体電話機２０例えばスマートフォンに着信があったかを判定する（Ｓ２）。このようにして、制御部１０は、移動体電話機２０に着信があったか否かを判定可能となる。移動体電話機２０に着信がない場合は（Ｓ２：ＮＯ）、制御部１０はＳ２処理を待機する。
【００１８】
移動体電話機２０に着信があった場合は（Ｓ２：ＹＥＳ）、制御部１０は、発信者ア、イ、ウを特定し、その発信者に応じた振動パターンＡ，Ｂ，Ｃで振動部１２を制御し、イス１８に振動を与える（Ｓ３Ａ、Ｓ３Ｂ、Ｓ３Ｃ）。制御部１０は、図３に示すように、発信者情報−振動パターンの対応表を記憶している。
【００１９】
なお、ここでは、３人の発信者ア、イ、ウに対応する３つの振動パターンＡ，Ｂ，Ｃを示したが、これは例示であり、３人の発信者に対応する３つの振動パターンに限定する意図はない。さらに多くの発信者に対する振動パターンを設定することができる。
【００２０】
また、制御部１０は移動体電話機２０の電話帳を参照することにより着信があった際の発信者を特定する。制御部１０と移動体電話機２０との間に、あらかじめＢｌｕｅｔｏｏｔｈにおける通信プロトコルであるＰＢＡＰ(Phone Book Access Profile)すなわち電話帳のデータを転送するためのプロファイルを開通させておき、制御部１０と移動体電話機２０との通信が成立した際に、移動体電話機２０から電話帳データを取得して制御部１０内の例えばフラシュメモリに記憶するようにし、これを参照することにより発信者を特定することができる。電話帳には発信者の電話番号情報、及びメールアドレス情報を含む発信者情報が含まれている。
【００２１】
制御部１０は、発信者−振動パターンの対応表により発信者に応じた振動パターンを特定し、振動部１２を制御してイス１８に振動を与える。発信者と振動パターンは、ユーザが表示機１６を介した着信案内装置１の操作により、あらかじめ対応付けを設定しておく。振動パターンの内容については後述する。
【００２２】
次に、制御部１０は着信対応処理を実施する（Ｓ４）。着信対応処理は、以下に説明する、着信時の処理、着信拒否処理を含む。制御部１０は、着信に応じてスピーカ１４における着信音の発声、表示機１６における発信者の表示を行う。ユーザは、上述した発信者に応じた振動パターンによるイス１８の振動により発信者を特定しているため、スピーカ１４による音声、表示機１６における発信者の表示等を確認するまでもなく発信者を認識することができる。
【００２３】
制御部１０は、あらかじめ定められた所定時間の間、ユーザによる受信を待機する。所定時間内にユーザによる受信操作が有れば、制御部１０は移動体電話機２０と連携して、ユーザによるハンズフリー会話を開始する。ユーザによる受信操作は、例えばユーザの音声をスピーカ１４により取得し、制御部１０において音声を解析することにより操作可能となるように構成するか、表示機１６の手指によるタッチにより認識するようにすればよい。この場合、ユーザの音声の解析、又は表示機１６に対するタッチにより、受信、又は着信拒否を実施するように構成することができる。
【００２４】
また、所定時間内にユーザによる受信操作が無い場合は、制御部１０の制御の下で受信を行い、例えば「ただいま運転中のため電話に出られません。発信音の後にメッセージをお願いします。」等のメッセージを送信する。あるいは、ユーザにより、所定時間の経過により着信拒否が設定されていれば、所定時間の経過とともに着信拒否を実施する。所定時間、及び着信が無い所定時間経過の際の処理は、あらかじめユーザにより設定される。
【００２５】
上記に説明した着信対応処理があった場合は、制御部１０はイス１８に対する振動の供与を終了する（Ｓ５）。以上により、着信案内装置１による処理が終了する。
【００２６】
次に、制御部１０による振動パターンの制御について説明する。着信案内装置１におけるイス１８は、ユーザがイス１８に着座した際に背中が当接する背もたれ部１８ａと、ユーザの臀部が載置される座部１８ｂを備えている。振動部１２は、イス１８の背もたれ部１８ａ及び座部１８ｂの一部又は前面を振動可能となるように配置構成されている。背もたれ部１８ａ及び座部１８ｂはユーザにより接触されているため、この部分が振動すればユーザが振動を認識することができる。
【００２７】
図４から図６は、振動の強弱リズムによる振動パターンを説明する図である。図４は、強い振動「強」が６回連続している例を示している。図５は弱い振動「弱」が６回連続している例を示している。図６は、強い振動「強」、弱い振動「弱」、振動なし、を１セットとして、これが２セット連続している例を示している。例えば、図４が振動パターンＡ、図５が振動パターンＢ、図６が振動パターンＣに対応するように構成される。イス１８における振動は、イス１８の全体での振動でもよいし、一部分での振動でもよい。
【００２８】
次に、振動位置が所定の移動ルートに沿って移動する場合の振動パターンについて説明する。図７、図９はユーザがイス１８に着座する姿を横から視認した図であり、図８、図１０から図２０は、イス１８を正面から見て背もたれ部１８ａと座部１８ｂを上下に配置して示した図である。
【００２９】
図７及び図８は、イス１８の上部から下部にかけて振動位置が移動する場合の振動パターンを示す。図９及び図１０は、イス１８の下部から上部にかけて振動位置が移動する場合の振動パターンを示す。図１１は、背もたれ部１８ａの左から右方向に振動位置が移動する場合の振動パターンを示す。図１２は、背もたれ部１８ａの右から左方向に振動位置が移動する場合の振動パターンを示す。
【００３０】
図１３及び図１４は、背もたれ部１８ａにＵ字を描いて振動位置が移動する場合の振動パターンを示すものであり、図１３が時計方向に振動位置が移動する場合、図１４が反時計方向に振動位置が移動する場合の振動パターンを示す。図１５及び図１６は、振動位置が背もたれ部１８ａ及び座部１８ｂの全面でＵ字を描くように移動する場合の振動パターンを示す。
【００３１】
図１７及び図１８は、背もたれ部１８ａにＺ字を描いて振動位置が移動する場合の振動パターンを示すものであり、図１５が「Ｚ」、図１６が「Ｚ」の鏡面反転した形状を描くように振動位置が移動する場合の振動パターンを示す。図１９及び図２０は、振動位置が背もたれ部１８ａ及び座部１８ｂの全面で「Ｚ」を描くように移動する場合の振動パターンを示す。
【００３２】
ユーザは、あらかじめ、着信案内装置１において、上記の説明した振動パターンを、発信者に対応付けておく。このようにすれば、イス１８における振動パターンにより、移動体電話機２０や表示機１６を視認することなく発信者を特定することができる。
上記構成において、振動部１２は、イス１８の背もたれ部１８ａ及び座部１８ｂの面内を機械的に移動可能に構成された振動部材により構成されていてもよい。
以上に説明した着信案内装置１によれば、以下の効果を奏する。
【００３３】
実施形態に係る着信案内装置１によれば、移動体電話機２０と制御部１０とを連携させて、移動体電話機２０による電話の着信の際に、発信者に応じて異なる振動パターンによってイス１８に振動を与える。この構成によって、ユーザは、表示又は音によらず、振動パターンに対応した発信者を認知することができる。
【００３４】
（第２実施形態）
次に第２実施形態に係る着信案内装置１について説明する。第２実施形態においては、着信案内装置１を移動体電話機２０によるメール受信に利用した例が示される。この場合は、制御部１０は、移動体電話機２０から取得した電話帳に含まれるメールアドレス情報によって特定される発信者と、振動パターンとを対応付けた図３相当の対応表を備えるようにする。
【００３５】
図２１に示すように、制御部１０は、ユーザが乗車しているか否かを判定した後（Ｓ１）、ユーザの所有する移動体電話機２０にメール受信があったか否かを判定する（Ｓ２２）。移動体電話機２０にメール受信があった場合は（Ｓ２２：ＹＥＳ）、Ｓ３Ａ〜Ｓ３Ｃに示すようにメールの発信者に応じた振動パターンで振動処理を実施する。振動パターンは例えば図４から図２０に示した振動パターンを使用すればよい。
【００３６】
また、図２における着信対応処理（Ｓ４）は不要とし、所定時間の振動を実施（Ｓ３Ａ〜Ｓ３Ｃ）した後に振動終了する（Ｓ５）。移動体電話機２０にメール受信が無い場合は（Ｓ２２：ＮＯ）、メール受信を待機する（Ｓ２２）。第２実施形態に係る着信案内装置１によれば、メール受信に関して、第１実施形態に係る着信案内装置１と同様の効果を奏する。
【００３７】
上記実施形態において、着信案内装置１は、自動車３０内に車載機として設置される着信案内装置１として説明したが、これは例示であり、車載機に限定されない。自動車３０の他、自動二輪車、船舶、飛行機、その他の乗り物に設置されたイス、あるいは、家庭等で使用されるイス、ソファ、座椅子、オフィス用チェア等の様々なイスに適用してもよい。
【００３８】
本開示は、実施例に準拠して記述されたが、本開示は当該実施例や構造に限定されるものではないと理解される。本開示は、様々な変形例や均等範囲内の変形をも包含する。加えて、様々な組み合わせや形態、さらには、それらに一要素のみ、それ以上、あるいはそれ以下、を含む他の組み合わせや形態をも、本開示の範疇や思想範囲に入るものである。
【符号の説明】
【００３９】
１…着信案内装置１、１０…制御部、１２…振動部、１４…スピーカ、１６…表示機、１８…イス（被振動部）、１８ａ…背もたれ部（被振動部）、１８ｂ…座部（被振動部）、２０…移動体電話機
【図１】
2020053797.tif 000003
【図２】
2020053797.tif 000004
【図３】
2020053797.tif 000005
【図４】
2020053797.tif 000006
【図５】
2020053797.tif 000007
【図６】
2020053797.tif 000008
【図７】
2020053797.tif 000009
【図８】
2020053797.tif 000010
【図９】
2020053797.tif 000011
【図１０】
2020053797.tif 000012
【図１１】
2020053797.tif 000013
【図１２】
2020053797.tif 000014
【図１３】
2020053797.tif 000015
【図１４】
2020053797.tif 000016
【図１５】
2020053797.tif 000017
【図１６】
2020053797.tif 000018
【図１７】
2020053797.tif 000019
【図１８】
2020053797.tif 000020
【図１９】
2020053797.tif 000021
【図２０】
2020053797.tif 000022
【図２１】
2020053797.tif 000023